(57)【要約】【課題】  信頼性、耐久性の向上を図り、生産性の向上を図り、さらに外観の変形、変色等を伴わず、外観に係わる部分に無塗装で適用できるような軌道系車両の構体の製造方法および軌道系車両の構体を提供することを課題とする。【解決手段】  軌道系車両２０の側部を構成する側構体２５のうち、左右の乗降口２８の間に配置される中央部側構体２６を構成する外板８０と、該外板８０を補強する補強リブ８２、８６、９０、窓開口部６２等を、一枚の板状素材９４からマシニングセンタ等の工作機械１００を用いて切削加工によって一体に形成したことを特徴とする。【選択図】      図３
2007055345.tif 000002
【特許請求の範囲】
【請求項１】
軌道系車両の構体を構成する外板と該外板を補強する補強リブとを、一枚の板状素材から材料除去加工によって一体に形成したことを特徴とする軌道系車両の構体の製造方法。
【請求項２】
前記材料除去加工が切削加工であり、前記補強リブの形成と同時に該補強リブの交差箇所に丸みを持たせ、さらに車両の窓開口部およびその隅部に丸みを持たせた加工を行なうことを特徴とする請求項１記載の軌道系車両の構体の製造方法。
【請求項３】
前記構体が軌道系車両の側面部を構成して、乗降口間に配設される中央部構体であり、該構体を前記一枚の板状素材から切削加工で削りだすことを特徴とする請求項２記載の軌道系車両の構体の製造方法。
【請求項４】
切削工具が取り付けられて回転駆動する主軸を上下方向に有し、加工テーブルを水平方向に有するマシニングセンタ等の工作機械に前記板状素材を固定し、前記補強リブ、窓開口部、または前記丸みの加工を前記切削工具の数値制御によって加工されることを特徴とする請求項３記載の軌道系車両の構体の製造方法。
【請求項５】
前記丸みの加工が、前記切削工具刃の刃先半径によって形成されることを特徴とする請求項４記載の軌道系車両の構体の製造方法。
【請求項６】
アルミニウム合金、マグネシウム合金等の軽合金材料よりなる前記板状素材を加工することを特徴とする請求項１乃至４記載の軌道系車両の構体の製造方法。
【請求項７】
請求項１乃至６に記載の製造方法によって製造された構体によって組み立てられたことを特徴とする軌道系車両。
【発明の詳細な説明】
【技術分野】
【０００１】
本発明は、軌道系車両の構体の製造方法、およびその方法によって製造された構体を用いて構成された軌道系車両に関するものである。
【背景技術】
【０００２】
従来、鉄道車両の構体は、特開平７−４７９５８号公報（特許文献１）に示すように、強度部材である骨組と外板等の板材の結合により構成されている。そして、この特許文献１には、窓等の開口部の隅部を補強するために、骨部材に隅補強部材を一体形成する例が示されている。
【０００３】
近年の軽量化を図った車両では、車両の外枠を構成する各構体をアルミニウム合金の押出成形材を主材料にして製造することが多く、この押出成形材は、大別すると、図６（ａ）に示す断面形状のシングルスキンパネル２と、図６（ｂ）に示す断面形状のダブルスキンパネル４がある。シングルスキンパネル２は、一枚の面板６にＬ字型６ａ或いはＴ字型６ｂ等の断面形状を有する補強リブ１２を適宜の間隔で設けて構成されている。ダブルスキンパネル４は、二枚の面板１４ａ、１４ｂの間に補強リブ１４ｃを設けて構成されている。
【０００４】
例えば、特開平２−２４６８６３号公報（特許文献２）には、車両の左右の側構体、台枠（床構体）、屋根構体等を長手方向に延在する長尺のダブルスキンパネルもしくはシングルスキンパネルを長手方向にのみ接合するだけで、前記側構体、台枠（床構体）、屋根構体等が形成される技術が開示されている。
【０００５】
また、鉄道等の大型車両では、どの構体も強度の高いダブルスキンパネルで構成されることが多いが、新交通システム等の比較的小型の車両では、強度の必要な屋根構体や台枠（床構体）には、ダブルスキンパネルを使用し、側構体等には、シングルスキンパネルを用いて重量軽減を図ることが行なわれている。
【０００６】
例えば、図７に示すように、新交通システム等の比較的小型の軌道系車両２０の構成は、それぞれ別の製造ラインで製造された台枠（床構体）２２、屋根構体２３、前後の妻構体２４、および左右の側構体２５を溶接等で接合して製造されている。側構体２５は中央の中央部側構体２６と、前端部および後端部に位置する端部側構体２７とに分かれ、中央部側構体２６と端部側構体２７との間には、乗降口２８となる空間Ｓが設けられる例を示している。
【０００７】
そして、従来、図８に示すように、中央部側構体２６は、シングルスキンパネルを主材料にして、複数部材から接合によって形成されていた。この図８に示す例では、縦方向に補強リブ０２が複数通る縦部材０４と、同様に縦方向に補強リブ０６が複数通る縦部材０８と、横方向に補強リブ０１０が通る上横部材０１２と、同様に横方向に補強リブ０１４が通る下横部材０１６とで主要部が構成されて、幅広の下横部材０１６は、一度に押出加工ができないため、幅狭のシングルスキンパネル０１８ａ、０１８ｂ、０１８ｃをＷ線で接合して形成されている。
【０００８】
一方、構体をアルミニウム合金の押出成形材を主材料にして製造せずに、特開２０００−３０１３６５号公報（特許文献３）には、車両の先頭部の曲面形状部分の構体の形成において、曲面板の一方側から切削して曲面を形成し、他方側から切削してリブを形成して、内側にリブを有する複数のブロックを接合して製作される技術が示されている。
【特許文献１】特開平７−４７９５８号公報
【特許文献２】特開平２−２４６８６３号公報
【特許文献３】特開２０００−３０１３６５号公報
【発明の開示】
【発明が解決しようとする課題】
【０００９】
しかし、特許文献１に示す例では、骨組と外板等とを接合するために溶接しなければならず、また、特許文献２、図６に示すようなシングルスキンパネル、ダブルスキンパネルの例の場合、または特許文献３に示される複数のブロックの例の場合には、それぞれのパネル、ブロックを溶接接合しなければならない。これら、パネル、ブロックの溶接は通常、ＭＩＧ溶接（Ｍｅｔａｌ  Ｉｎｔｅｒ  Ｇａｓ  Ｗｅｌｄｉｎｇ）やＴＩＧ溶接（Ｔｕｎｇｕｓｔｅｎ  Ｉｎｓｅｒｔ  Ｇａｓ  Ｗｅｌｄｉｎｇ）或いはＦＳＷ（Ｆｒｉｃｔｉｏｎ  Ｓｔｉｒ  Ｗｅｌｄｉｎｇ、摩擦攪拌接合）により行なわれるが、これら溶接は必然的に高温下で行なわれる。
このため、熱歪み（溶接歪み）の発生は避けられず、歪み取り加工が欠かせない。特に、シングルスキンパネルを使用した場合には剛性が低いので、大きな変形が発生しやすく、歪み取り加工に多大の時間と労力を要する問題があった。
【００１０】
また、溶接部に欠陥があると、特に、接合部分が隅や角或いは端部のように応力集中を生じやすい箇所では溶接割れを生じやすいので、超音波探傷法、磁粉探傷法、Ｘ線検査法等の非破壊検査によって溶接欠陥の検査が必要であり、欠陥が発見されれば、補修作業もする必要があるため、これら検査、補修に要する時間と労力を多大に要し、構体の生産性を著しく低下させる問題もあった。
【００１１】
また、アルミニウム等の軽合金の素材で構体を形成すると、アルミニウム等の軽合金は高温にさらされると、酸化により変色し、色むら、まだらとなるので、外観に係わる箇所では無塗装での使用ができず、無塗装車両には適さない問題をも有していた。
【００１２】
そこで、本発明は、このような背景に鑑みなされたものであり、強度を十分確保して信頼性、耐久性の向上を図り、さらに加工後の製品検査、補修に多大な労力を要さずに生産性の向上を図り、さらに外観の変形、変色等を伴わず、外観に係わる部分に無塗装で適用できるような外観の向上を図った軌道系車両の構体を製造できる製造方法を提供するとともに、その方法で製造された構体によって組み立てられた軌道系車両を提供することを課題とする。
【課題を解決するための手段】
【００１３】
前記課題を解決するため、請求項１に記載の軌道系車両の構体の製造方法は、軌道系車両の構体を構成する外板と該外板を補強する補強リブとを、一枚の板状素材から材料除去加工によって一体に形成したことを特徴とする。
【００１４】
請求項１に記載の発明によれば、構体が、一枚の板状素材から材料除去加工によって形成されるため、従来のような複数のパネルやブロックの溶接接合による溶接熱の影響を受けることがなく、溶接欠損のおそれがなく強度的、耐久的に信頼性が向上する。また、溶接歪みの発生もなく、歪み取り作業が不要となるとともに、素材が溶接熱の高温にさらされことがなく、変色、色むら等の外観上の欠陥が生じにくく、外観に係わる箇所での無塗装での使用が可能になる。
さらに、外板と補強リブとが一枚の板材から一体に形成されるため、材質、形状を基にした応力解析を精度よく容易に行なうことができるようになることから、予め弱い箇所を知ってその箇所を集中的に検査するようにできるので、強度的、耐久的に信頼性が向上するととともに、従来のような大掛かりな非破壊検査を不要とし、検査のための時間と労力を低減でき、生産性を向上できる。
【００１５】
請求項２に記載の発明は、請求項１に記載の軌道系車両の構体の製造方法であって、前記材料除去加工が切削加工であり、前記補強リブの形成と同時に該補強リブの交差箇所に丸みを持たせ、さらに車両の窓開口部およびその隅部に丸みを持たせた加工を行なうことを特徴とする。
そして、請求項２の発明よれば、一枚の板状素材から切削加工によって肉厚を除去して外板と補強リブを形成しつつ、同時に補強リブの交差箇所に丸みを持たせる加工をし、さらに窓開口部およびその隅部に丸みを持たせる加工をすることによって、隅部、角部に生じる応力集中を緩和する加工を行なうことができる。
【００１６】
請求項３に記載の発明は、請求項２に記載の軌道系車両の構体の製造方法であって、前記構体が軌道系車両の側面部を構成して、乗降口間に配設される中央部構体であり、該構体を前記一枚の板状素材から切削加工で削りだすことを特徴とする。
そして、請求項３に記載の発明によれば、前記構体が軌道系車両の側面部の乗降口間に配設されて、車両の外観上最も重要な箇所を構成する中央部構体を、一枚の板状素材から切削加工で削りだすため、従来のような複数のパネルやブロックの溶接接合による高温にさらされことがなく、素材の熱変形も少なく、素材の材質にアルミニウム合金等の軽金属を使っても素材の酸化により変色、色むら、が生じにくく、外観に係わる箇所での無塗装での使用ができる。
【００１７】
請求項４に記載の発明は、請求項３に記載の軌道系車両の構体の製造方法であって、切削工具が取り付けられて回転駆動する主軸を上下方向に有し、加工テーブルを水平方向に有するマシニングセンタ等の工作機械に前記板状素材を固定し、前記補強リブ、窓開口部、または丸みの加工を前記切削工具の数値制御によって加工されることを特徴とする。
そして、請求項４の発明によれば、マシニングセンタ等の工作機械に一枚の板状素材をセットして、数値制御によって切削加工することで、外板、補強リブ、窓開口部、丸みを正確、迅速に加工でき、さらに、補強リブ形状の変更等への対応も容易である。
【００１８】
請求項５に記載の発明は、請求項４に記載の軌道系車両の構体の製造方法であって、前記丸みの加工が、前記切削工具刃の刃先半径によって形成されることを特徴とする。
そして、請求項５の発明によれば、切削工具刃の刃先半径を利用することで補強リブの交差箇所、窓開口部の隅部の丸みの加工を簡単に製造することができる。
【００１９】
請求項６に記載の発明は、請求項１乃至４に記載の軌道系車両の構体の製造方法であって、アルミニウム合金、マグネシウム合金等の軽合金材料よりなる前記板状素材を加工することを特徴とする。
そして、請求項６の発明によれば、アルミニウム合金、マグネシウム合金等の軽合金材料よりなる板状素材を加工して構体を製造することができるため、軽量構体を製造することができる。
【００２０】
さらに、請求項７に記載の軌道系車両の発明は、請求項１乃至６に記載の製造方法によって製造された構体によって組み立てられたことを特徴とする。
そして、請求項７の発明によれば、請求項１乃至６に記載の製造方法によって製造された構体を用いているため、溶接熱による素材の変色等の外観上の欠陥を生じないことから、無塗装化の軌道系車両を得ることができる。さらに、応力解析の容易化によって弱い箇所の予知による検査工数の低減および補強リブの交差箇所や窓開口部の隅部への一体円弧状加工による応力集中の低減から、強度、信頼性が確保された軌道系車両を得ることができる。特に、アルミニウム合金、マグネシウム合金等の軽合金材料で軽量化を図りつつ強度、信頼性を確保ができる。
さらに、構体の検査、補修、歪み取り作業の低減によって、軌道系車両の生産性を向上することも達成できる。
【発明の効果】
【００２１】
本発明の軌道系車両の構体の製造方法によれば、強度を十分確保して信頼性、耐久性の向上を図り、さらに加工後の製品検査、補修に多大な労力を要さずに生産性の向上を図り、さらに外観の変形、変色等を伴わず、外観に係わる部分に無塗装で適用できるような外観の向上を図った軌道系車両の構体を製造できる製造方法を提供することができる。そして、本発明の軌道系車両によれば、その製造方法で製造された構体によって組み立てられた軌道系車両を提供することができる。
【発明を実施するための最良の形態】
【００２２】
次に、本発明の実施の形態について、適宜図面を参照しながら詳細に説明する。但し、この実施の形態に記載されている構成部品の寸法、材質、形状、その相対的配置等は特に特定的な記載がない限りは、この発明の範囲をそれに限定する趣旨ではなく、単なる説明例に過ぎない。
【００２３】
参照する図面において、図１は、本発明の第１の実施の形態に係る軌道系車両の説明図であり、（ａ）は側面図、（ｂ）は（ａ）のＡ−Ａ線断面図である。図２は、本発明に係る軌道系車両の構体の製造方法の説明する斜視図である。図３は、製造装置を示す斜視図である。図４は、図２のＢ部の拡大図である。図５は、第２の実施の形態の製造装置を示す斜視図である。図６は、スキンパネルの説明図であり、（ａ）はシングルスキンパネル、（ｂ）はダブルスキンパネルを示す。図７は、軌道系車両の分解構成図である。図８は、従来の構体の製造方法を説明する斜視図である。
なお、従来の製造方法の説明で示した要素と同一要素については（図６〜図８）、同一符号を付して説明を省略する。
【実施例１】
【００２４】
（第１の実施の形態）
まず、本発明が適用される軌道系車両２０について説明する。図１（ａ）に示すように、この軌道系車両２０は、新交通システム等の比較的小型の車両であり、レール上を走行する鉄道車両と異なり、走行輪であるゴムタイヤ５０で車体を支持して定められた軌道５２に沿って走行する車両である。
この軌道系車両２０は、図７に示すように、それぞれ別の製造ラインで製造された台枠（床構体）２２、屋根構体２３、前後の妻構体２４、および左右の側構体２５等の平面状若しくは大きな曲率を有する広幅パネル体の組み合わせからなる。
また、側構体２５は中央の中央部側構体２６と、前端部および後端部に位置する端部側構体２７、２７とに分かれ、中央部側構体２６と端部側構体２７、２７との間には、左右に乗降口２８、２８が設けられている。
【００２５】
図１（ｂ）に示すように、台枠（床構体）２２は、平面状で広幅長尺のダブルスキンパネル５６同士を複数並行に配設したものを突合せて、上下面が面一状になるようして、ＦＳＷ（摩擦攪拌接合）Ｍにより接合されている。
その床構体２２の両端側には、強度性維持を図るためとスカートの機能を図るために方形枠状の側梁型材５８、５８が固設され、該側梁型材５８上に中央部側構体２６の下端部が立設して溶接接合Ｗされている。
中央部側構体２６は、シングルスキンパネル６０で構成され、ほぼ中央には窓開口部６２が形成されている。なお、図１（ｂ）は、中央部側構体２６の断面図であるが、端部側構体２７においても同様に、シングルスキンパネル構造で構成され、中央部に窓開口部６４が形成されている。
【００２６】
屋根構体２３は、平面状の広幅で長尺のダブルスキンパネル６６同士を複数並行に配設したものを突合せて、上下面が面一状になるようして、ＦＳＷ（摩擦攪拌接合）Ｍにより接合されているとともに、その屋根構体２３の両端には、ダブルスキンパネル６８からなる傾斜勾配パネル７０が接合されている。さらに、傾斜勾配パネル７０の傾斜下端部には、中央部側構体２６の上端部との接合を行なうために垂直補助型材部７２が接続されている。この垂直補助型材部７２は、傾斜勾配パネル７０に一体に１つの押し出し型材として形成されてもよい。その垂直補助型材部７２の下端と、中央部側構体２６を構成するシングルスキンパネル６０の上端部とは溶接接合Ｗされている。
【００２７】
図２に示すように、中央部側構体２６は、外板８０と、窓開口部６２の両側に位置され縦方向に縦補強リブ８２が複数通る縦部材８４、８４と、窓開口部６２の上側に位置され横方向に横補強リブ８６が複数通る上横部材８８と、窓開口部６２の下側に位置され横方向に横補強リブ９０が複数通る下横部材９２とで構成されている。
【００２８】
この中央部側構体２６の製造方法について次に説明する。
まず、アルミニウム合金、又はマグネシウム合金等の軽合金を押し出し製法によって、一枚の板状素材９４を成形する。板状素材９４は、軌道系車両２０の床構体２２から屋根構体２３までの高さ、および乗降口２８、２８間の幅を有し、厚さは補強リブ８２、８６、９０の高さを有する大きさ、又は加工削り代を加味してそれ以上の大きさを有する素材である。
【００２９】
そして、図３に示すように、板状素材９４を、材料除去加工を行なうマシニングセンタ１００の固定テーブル１０２上に位置決め等の調整をして、切削加工可能に水平に固定して、切削工具１０４を主軸１０６のチャックに固定して切削加工の準備を完了する。
【００３０】
マシニングセンタ等の工作機械１００は、固定テーブル１０２の側方にレール１１０、１１０が敷かれ、レール１１０、１１０上にも門形コラム１１２が矢印Ｘ方向に走行可能になっている。さらに、門形コラム１１２の横桁１１４に沿ってサドル１１６が矢印Ｙ方向に移動可能になっている。さらに、サドル１１６は、主軸ヘッド１１８が上下方向（矢印Ｚ方向）に移動可能に取り付けられている。主軸ヘッド１１８には、主軸１０６が設けられ、回転駆動される。主軸１０６には、エンドミル或いはフライスカッタ等の切削工具１０４が取り付けられている。
【００３１】
そして、門形コラム１１２のＸ方向、サドル１１６のＹ方向、主軸ヘッド１１８のＺ方向の送り速度、主軸１０６の回転速度等は、全て図示しない数値制御式の制御装置に組み込まれている加工プログラムに基づいて自動切削される。
【００３２】
まず、縦補強リブ８２、横補強リブ８６、９０の外形線、さらに窓開口部６２の外形線を、主軸１０６に切削工具１０４としてエンドミルを取り付けて切削し、その後、余肉の除去加工を、平面フライスカッタを取り付けて加工する。この際、補強リブの断面形状がＬ字形、Ｔ字形の場合には、端面フライスカッタのよって補強リブ８２、８６、９０の壁面を加工する。
【００３３】
図２のＢ部拡大図（図４）に示すように、縦補強リブ８２は、外板８０に対して、垂直なウェブ８２Ｗと、外板８０と平行なフランジ８２Ｆとから構成されてＬ字形状になっている。また、横補強リブ８６も垂直なウェブ８６Ｗと、外板８０と平行なフランジ８６Ｆとから構成されてＬ字形状になっている。
【００３４】
縦補強リブ８２と横補強リブ８６とは交点Ｐで交差しており、交点Ｐにおいては、縦補強リブ８２のウェブ８２Ｗと横補強リブ８６のウェブ８６Ｗとが交差し、同様に縦補強リブ８２のフランジ８２Ｆと横補強リブ８６のフランジ８６Ｆとが交差している。そして、ウェブ８２Ｗ、８６Ｗの交差により形成される隅部は、円弧（丸み）ＲＷに切削し、フランジ８２Ｆ、８６Ｆのそれぞれの交差により形成される隅部は、円弧（丸み）Ｒｆに切削する。この円弧ＲＷ、Ｒｆの加工は、円弧加工単独でなく、外板８０の形成のための余肉除去加工のフライスカッタの刃先半径８７を利用して形成するようにしてもよく、この場合には、隅部の円弧加工を簡単に製造することができる。
【００３５】
また、窓開口部６２の加工は、板状素材９４に窓開口形状に沿ってフライスカッタによって開口部を切り落とすことによって形成し、窓開口部６２の四隅部も円弧（丸み）ＲＭに形成している。
この円弧の形成は、補強リブの交差箇所の円弧と同様にフライスカッタの刃先半径を利用して形成するようにしてもよく、この場合には、隅部の円弧加工を簡単に製造することができる。
【００３６】
このように、一枚の板状素材から切削加工によって肉厚を除去して外板８０と縦補強リブ８２、横補強リブ８６、９０を形成しつつ交差箇所に丸みの円弧ＲＷ、Ｒｆを持たせる加工をし、また窓開口部６２を切り落とす加工をしつつ隅部にも丸みの円弧ＲＭを持たせる加工するため、隅部、角部に生じる応力集中を緩和する加工を簡単に行なうことができる。また、切削加工を加工プログラムに基づくものであるため、隅部の円弧加工のみでなく装備品の取り付けのための取付けフランジ１２０の付加等への設計変更の対応が容易である。
【００３７】
以上の実施の形態によると、中央部側構体２６が、一枚の板状素材９４からエンドミル、フライスカッタによる切削加工によって材料除去加工によって縦補強リブ８２、または横補強リブ８６、９０を形成するため、従来のような複数のパネルやブロックの溶接接合による溶接熱の影響を受けることがなく、溶接欠損のおそれがなくなり強度的、耐久的に信頼性が向上する。
また、溶接歪みの発生もなく、歪み取り作業が不要となるとともに、素材が溶接熱の高温にさらされことがなく、変色、色むら等の外観上の欠陥が生じにくく、軌道系車両２０の外観上最も目に付く中央部側構体２６部分に無塗装での使用が可能になる。
さらに、外板８０と縦補強リブ８２、横補強リブ８６、９０、窓開口部６２とが一枚の板状素材９４から一体に形成されるため、材質、形状を基にした応力解析を精度よく容易に行なうことができるようになることから、予め弱い箇所を知ってその箇所を集中時に検査するようにできるので、強度的、耐久的に信頼性が向上するととともに、従来のような大掛かりな非破壊検査を不要とし、検査のための時間と労力を低減でき、生産性を向上できる。
【実施例２】
【００３８】
（第２の実施の形態）
次に、板状素材９４の材料除去加工の例として、切削加工ではなく放電加工を用いた場合を、図５を参照して説明する。
放電加工のうち気中放電加工を用いるものであり、マシニングセンタ等の工作機械１５０の主軸１５２に放電ユニット１５４が装着されている。放電ユニット１５４には、電極１５６、放電電源供給部１５８、アシストガス供給部１６０を備え、電極１５６と板状素材９４の間隔の制御、供給電圧の制御、送り速度の制御によって、放電エネルギを利用して板状素材９４の除去加工が行なわれる。縦補強リブ１６２、横補強リブ１６４の加工の場合には、縦補強リブ１６２、横補強リブ１６４の形状と外板８０を残して板状素材９４の材料の除去を行い、窓開口部６２の場合には、窓の輪郭１６６に沿って外板８０まで含めて除去し、パネル１６８を切り落とすように放電エネルギ、電極１５６の移動制御が行なわれる。また、Ｘ、Ｙ、Ｚ方向の動きは、第１の実施の形態で説明したマシニングセンタ等の工作機械１００による動きと同様である。
【００３９】
第２の実施の形態によると、フライスカッタの切削では対応できないような複雑な補強リブの形状、複雑な窓開口部の形状等を加工することができる。
また、放電加工ではなく、レーザを用いたレーザ加工によっても材料切除加工を行なうことができる。
【００４０】
以上の実施の形態では、構体のうち中央部側構体２６を対象に説明をしたが、台枠（床構体）２２、屋根構体２３、前後の妻構体２４、および左右の側構体２５のうちの端部側構体２７等に適応してもよいことは勿論である。
また、中央部側構体２６として、窓開口部６２が形成された構成のものを説明したが、軌道系車両２０の仕様によっては窓開口部６２がない中央部側構体２６であってもよいことは勿論である。
【産業上の利用可能性】
【００４１】
本発明の軌道系車両の構体の製造方法によれば、強度を十分確保して信頼性、耐久性の向上を図り、さらに加工後の製品検査、補修に多大な労力を要さずに生産性の向上を図り、さらに外観の変形、変色等を伴わず、外観に係わる部分に無塗装で適用できるような外観の向上を図った軌道系車両の構体を製造できる製造方法を提供することができるので、軌道系車両の製造への適用に際して有益である。
【図面の簡単な説明】
【００４２】
【図１】本発明の第１の実施の形態を示す説明図であり、（ａ）は側面図、（ｂ）は（ａ）のＡ−Ａ線断面図である。
【図２】本発明に係る軌道系車両の構体の製造方法の説明する斜視図である。
【図３】製造装置を示す斜視図である。
【図４】図２のＢ部を説明する拡大図である。
【図５】第２の実施の形態の製造装置を示す斜視図である。
【図６】スキンパネルの説明図であり、（ａ）はシングルスキンパネル、（ｂ）はダブルスキンパネルである。
【図７】軌道系車両の分解構成図である。
【図８】従来の構体の製造方法を説明する斜視図である。
【符号の説明】
【００４３】
２０    軌道系車両
２２    台枠（床構体）
２３    屋根構体
２４    妻構体
２８    乗降口
６２    窓開口部
８０    外板
８２    縦補強リブ（補強リブ）
８６，９０    横補強リブ（補強リブ）
９４    板状素材
１００  マシニングセンタ等の工作機械
１０４  切削工具
ＲＷ，Ｒｆ，ＲＭ  円弧（丸み）
【図１】
2007055345.tif 000003
【図２】
2007055345.tif 000004
【図３】
2007055345.tif 000005
【図４】
2007055345.tif 000006
【図５】
2007055345.tif 000007
【図６】
2007055345.tif 000008
【図７】
2007055345.tif 000009
【図８】
2007055345.tif 000010